(57)【要約】【課題】内枠の開閉動作が円滑に行なえるばかりか、内枠の開閉動作を繰り返しても破損する危険性が少なく、部品コストが抑えられ遊技機の組立上の工数も従来とほとんど変わることのない遊技機を提供する。【解決手段】方形枠状に形成される外枠１と、外枠１の前面に配置され一側の上下部に設けられるヒンジ機構４ａ，４ｂを介して開閉自在に軸着される内枠３と、を備え、下部のヒンジ機構４ｂは、外枠側の下固定ヒンジ部材２２とその上面に重合して軸着され回動する内枠側の下可動ヒンジ部材２３とからなり、外枠側の下固定ヒンジ部材２２にその上面から上端が所定の寸法突出する回転自在な支持球３２を配置し、内枠３を外枠１に対して開閉動作する際に、支持球３２が内枠側の下可動ヒンジ部材２４の下面に当接して内枠３を上方へ押し上げるようにして支持する。【選択図】図３
2010099189.tif 000002
【特許請求の範囲】
【請求項１】
方形枠状に形成される外枠と、前記外枠の前面に配置され一側の上下部に設けられるヒンジ機構を介して開閉自在に軸着される内枠と、を備え、
前記下部のヒンジ機構は、外枠側の下固定ヒンジ部材と該下固定ヒンジ部材の上面に重合して軸着されその上面に沿って回動する内枠側の下可動ヒンジ部材とからなり、
前記外枠側の下固定ヒンジ部材にその上面から上端が所定の寸法突出する回転自在な支持球を配置し、
前記内枠を前記外枠に対して開閉動作する際に、前記支持球が前記内枠側の下可動ヒンジ部材の下面に当接し該内枠を上方へ押し上げるようにして支持することを特徴とする遊技機。
【請求項２】
前記外枠側の下固定ヒンジ部材に配置された支持球は常に内枠側の下可動ヒンジ部材の下面に接触している請求項１記載の遊技機。
【請求項３】
方形枠状に形成される外枠と、前記外枠の前面に配置され一側の上下部に設けられるヒンジ機構を介して開閉自在に軸着される内枠と、を備え、
前記下部のヒンジ機構は、外枠側の下固定ヒンジ部材と該下固定ヒンジ部材の上面に重合して軸着されその上面に沿って回動する内枠側の下可動ヒンジ部材とからなり、
前記内枠側の下可動ヒンジ部材にその下面から下端が所定の寸法突出する回転自在な支持球を配置し、
前記内枠を前記外枠に対して開閉動作する際に、前記支持球が前記外枠側の下固定ヒンジ部材の上面に当接し該内枠を上方へ押し上げるようにして支持することを特徴とする遊技機。
【請求項４】
前記内枠側の下可動ヒンジ部材に配置された支持球は常に外枠側の下固定ヒンジ部材の上面に接触している請求項３記載の遊技機。
【発明の詳細な説明】
【技術分野】
【０００１】
本発明は、外枠の前面一側に上下部のヒンジ機構を介して内枠が開閉自在に軸着される遊技機に関するものである。
【背景技術】
【０００２】
従来、遊技機の一種であるパチンコ遊技機は、例えば特許文献１に示すように縦長方形枠状に形成された外枠の前面一側に上下部のヒンジ機構を介して内枠が開閉自在に軸着されている。更に、詳しく説明すると、外枠の前面下端部に化粧板が貼着固定されており、内枠が閉塞されたときその水平な上面に内枠が乗るようにして配置される。通常、内枠には、遊技盤が配設されると共に前面に該遊技盤の前面を覆う透明板保持枠や球受皿を装着した前板が装着されている。
【０００３】
ところで、パチンコ遊技機には、内枠に配設される遊技盤の中央部に可変表示装置を配置し、その下方に遊技球が入賞することにより該可変表示装置における表示部の図柄を変動させる始動入賞口を配置し、更に、その下方に前記表示部に停止して表示される図柄が特定の図柄（例えば、「７７７」）に揃ったとき遊技者に有利な特別遊技状態となって、開閉扉が前側へ開き一度に多くの入賞球の発生を可能とする入賞装置を配置したものが人気を博している。また、近年、遊技の面白みを増すため前記表示部を広げるべく可変表示装置の大型化が進み、しかも、遊技盤の前面を覆う透明板保持枠もその遊技の内容に合わせて派手に装飾しており、これに伴い遊技盤を含めた内枠の重量がかなり嵩み、その開閉動作にも苦慮している。
【０００４】
すなわち、前記内枠は外枠の一側に上下部のヒンジ機構を介して片持式に軸着されていることから、例えば、内枠を開放すると、軸着部とは反対側の下端が前記化粧板の上端よりも下がってしまう状態が起きている。このように内枠の下端が前記化粧板の上端よりも下がってしまうと、内枠を閉塞する際に外枠と内枠のヒンジ機構同士が擦れ合うばかりか、外枠特に化粧板の上端と内枠の下端とがぶつかり、該内枠の閉塞動作が円滑に行なえなくなる。引いては、内枠の軸着部の反対側をいちいち上方へ持ち上げた状態で閉塞動作を行なわねばならず、面倒な作業を強いられるという課題が有る。
【０００５】
これに対し、その課題を解決すべく、例えば特許文献２に示すようなパチンコ遊技機がある。該パチンコ遊技機は内枠の下端部の裏面にローラが組み込まれたスライダー装置を取着し、内枠を閉塞するときローラが外枠側の化粧板に設けられたストッパーに乗り上げることで内枠を円滑に閉塞できるようにしている。
【０００６】
【特許文献１】特開２００３−２１０７９３号公報（第３−４頁、図１）
【特許文献２】特開２００１−１２９２０５号公報（第２−５頁、図１、図３）
【発明の開示】
【発明が解決しようとする課題】
【０００７】
前記引用文献２に係るパチンコ遊技機では、内枠を閉塞する際にスライダーのローラが外枠側のストッパーの上面に乗り上げることから、内枠を持ち上げる必要がなく内枠が円滑に閉塞できるかもしれない。しかしながら、頻繁に内枠の開閉動作を繰り返していると、内枠の下端が徐々に下がってローラがストッパーに衝突してしまい該ローラがストッパーの上面に乗り上がらず、引いては内枠を持ち上げなくてはならないという結果を招く恐れが有る。また、ローラには内枠の過大な負荷が加わることから、ローラが破損し易いという課題が有る。しかも、スライダーやストッパーといった部材を外枠や内枠にそれぞれ別個に設けねばならず、部品コストや遊技機の組立上の工数が増えるという課題も有る。
【０００８】
そこで、本発明は上記課題を解決すべくなされたもので、内枠の開閉動作が円滑に行なえるばかりか、内枠の開閉動作を繰り返しても破損する危険性がほとんどなく、しかも、部品コストが抑えられ遊技機の組立上の工数も従来とほとんど変わることのない遊技機を提供することを目的とするものである。
【課題を解決するための手段】
【０００９】
かかる目的を達成するため本発明に係る遊技機は、方形枠状に形成される外枠と、前記外枠の前面に配置され一側の上下部に設けられるヒンジ機構を介して開閉自在に軸着される内枠と、を備え、前記下部のヒンジ機構は、外枠側の下固定ヒンジ部材と該下固定ヒンジ部材の上面に重合する内枠側の下可動ヒンジ部材とからなり、前記外枠側の下固定ヒンジ部材および内枠側の下可動ヒンジ部材のいずれか一方に、前記外枠側の下固定ヒンジ部材ではその上面から上端が所定の寸法突出し該内枠側の下可動ヒンジ部材ではその下面から下端が所定の寸法突出する回転自在な支持球を配置し、前記内枠を前記外枠に対して開閉動作する際に、前記支持球が前記内枠側の下可動ヒンジ部材の下面または前記外枠側の下固定ヒンジ部材の上面に当接して該内枠を上方へ押し上げるようにして支持することを特徴とする。
【００１０】
この際、前記外枠側の下固定ヒンジ部材に配置された支持球は内枠側の下可動ヒンジ部材下面に、また、前記内枠側の下可動ヒンジ部材に配置された支持球は外枠側の下固定ヒンジ部材の上面に、常に接触していることが好ましい。
【発明の効果】
【００１１】
本発明に係る遊技機は、下部のヒンジ機構が、外枠側の下固定ヒンジ部材と該下固定ヒンジ部材の上面に重合する内枠側の下可動ヒンジ部材とからなり、外枠側の下固定ヒンジ部材および内枠側の下可動ヒンジ部材のいずれか一方に、外枠側の下固定ヒンジ部材ではその上面から上端が所定の寸法突出し該内枠側の下可動ヒンジ部材ではその下面から下端が所定の寸法突出する回転自在な支持球を配置してなる。よって、内枠を外枠に対して開閉動作する際に、支持球が内枠側の下可動ヒンジ部材の下面または外枠側の下固定ヒンジ部材の上面に当接して内枠を上方へ押し上げるようにして支持する。これにより、内枠がその荷重によって軸着部とは反対側を下げるようなことがあっても、内枠を閉塞する際に外枠と内枠のヒンジ機構同士の摩擦や擦れ合いが軽減され、内枠の開閉動作が円滑に行なえるようになる。しかも、既成のヒンジ機構に支持球を配置することから、部品コストがほとんど変わらず、遊技機の組立上の工数も従来に比べて増えることがないという効果を奏する。
【発明を実施するための最良の形態】
【００１２】
以下、本発明に係る遊技機の実施の形態を図面に基づき詳しく説明する。なお、遊技機には、例えば、パチンコ遊技機、アレンジボール機、雀球遊技機、パロット（登録商標）機等が有るが、その内、パチンコ遊技機について説明する。図１は本発明に係るパチンコ遊技機の正面図、図２は同内枠を開いた状態の斜視図である。
【００１３】
パチンコ遊技機Ｐは、縦長方形枠状に形成された外枠１を有する。該外枠１の前面下端部に化粧板２が貼着されており、該化粧板２の水平な上面に乗るようにして外枠１の前面に内枠３が開閉自在に配置される。該内枠３は、一側の上下部に設けられたヒンジ機構４ａ，４ｂを介して開閉自在に軸着されている。また、内枠３に遊技盤５が配設される。該遊技盤５の前面には内側・外側ガイドレール６ａ，６ｂが渦巻き状に敷設され、該内側・外側ガイドレール６ａ，６ｂで囲まれるようにして遊技部５ａが形成される。
【００１４】
前記遊技部５ａの中央に、例えば文字、数字等の図柄を変動表示する表示部７ａを備えた可変表示装置７、その下方に位置して遊技球の入賞により前記図柄を変動させる始動入賞口８が装着されている。また、その下方には、前記可変表示装置７の表示部７ａに表示される図柄が停止し、その図柄が特定の図柄（例えば、「７７７」）に揃ったとき、一定の条件の下で一度に多くの賞球としての遊技球が得られる入賞装置９が装着されている。可変表示装置７の両側下方に一般入賞口１０，１０が配置され、内側ガイドレール６ａの内側下端には、遊技部５ａに打ち込まれた遊技球であって入賞しなかった遊技球、所謂アウト球をパチンコ遊技機Ｐの外部に排出するためのアウト球口１１が設けられる。
【００１５】
内枠３の前面上部には、前記遊技盤５の前面を覆う透明板保持枠１２が開閉自在に装着される。該透明板保持枠１２は、その中央部に前記遊技盤５の遊技部５ａが臨む窓開口１３が開設され、該窓開口１３に透明な合成樹脂板またはガラス板を複層に重ねた透明板ユニット１４が装着される。そして、該透明板ユニット１４を介してその前側から前記遊技部５ａが視認できるようになっている。窓開口１３の外周前面は、遊技の内容に即したデザインが施され、遊技の興趣が高められるようにしている。
【００１６】
透明板保持枠１２の下方であって内枠３の前面に、前板１５が開閉自在に装着される。該前板１５の前面には、パチンコ遊技機Ｐの後側に装着された球払出装置（図示せず。）から払い出される貸し球または賞球としての遊技球を貯留しかつ打球発射部（図示せず。）へ供給するための上部の球受皿１６が装着される。また、その下方の内枠３の前面に、上部の球受皿１６から溢れる遊技球を貯留するための下部の球受皿１７が装着される。そして、該下部の球受皿１７の一側に、前記打球発射部から発射される打球の打球力を調整するための打球力調整ハンドル１８が設けられている。内枠３の軸着部とは反対側の後面に施錠装置１９が設けられ、内枠３を前側から押し込むことにより該内枠３が外枠１に施錠され、内枠３の同じ側に設けられた錠２０に鍵（図示せず。）を差し込み回動することにより内枠３が開錠されて開放することができるようになっている。
【００１７】
次に、前記上下部のヒンジ機構４ａ，４ｂについて説明する。外枠１の一側上・下部に、金属製の上固定ヒンジ部材２１と同じく金属製の下固定ヒンジ部材２２がビス止めにより固着され、これと同じ側の内枠３の一側上・下部に、金属製の上可動ヒンジ部材２３と同じく金属製の下可動ヒンジ部材２４がビス止めにより取着されている。そして、外枠１の前面一側に内枠３を軸着するには、外枠１側の上固定ヒンジ部材２１に内枠側の上可動ヒンジ部材２３を軸着し、外枠側の下固定ヒンジ部材２２に内枠側の下可動ヒンジ部材２４を軸着することになる。
【００１８】
更に、図３に基づき両ヒンジ機構４ａ，４ｂを詳しく説明する。上部のヒンジ機構４ａである外枠側の上固定ヒンジ部材２１は、外枠１における上側枠１ａの一端角部に固着される断面Ｌ型の取付板部２１ａと、該取付板部２１ａの水平板部から前側に延設され外枠１の前面から前方へ突出するほぼ水平な軸受板部２１ｂとからなり、該軸受板部２１ｂに軸孔２５が開設されている。一方、上部のヒンジ機構４ａである内枠側の上可動ヒンジ部材２３は、内枠３における上端角部に固着されるように断面Ｌ型に形成され、水平板部２３ａであって内枠３の前面から前方へ突出する部位２３ｂの下面に、下方へ突出する軸ピン２６が設けられている。そして、前記外枠側の上固定ヒンジ部材２１の軸孔２５に、内枠側の上可動ヒンジ部材２３の軸ピン２６がその上側から挿通される。
【００１９】
これに対し、下部のヒンジ機構４ｂである外枠側の下固定ヒンジ部材２２は、外枠１における化粧板２の一端に固着されるように断面略Ｌ型に形成され、水平板部２２ａであって外枠１の前面から前方へ突出する部位２２ｂの上面に、上方へ突出する軸ピン２７が設けられている。また、その角部にはその側縁に沿って所定長さに亘り上向きの規制片２２ｃが設けられる。これは、下固定ヒンジ部材２２の上面に下可動ヒンジ部材２４が重ねられたとき、軸ピン２７を中心として下可動ヒンジ部材２４が水平面内で回動し得る範囲を規制するためのものである。よって、これにより、内枠３は外枠１に対して、まずその前面に平行に重なるようにして配置される位置と、前側へ回動して外枠１の前面に対してほぼ直角になる位置とで停止し、その間で回動することになる。
【００２０】
一方、下部のヒンジ機構４ｂである内枠側の下可動ヒンジ部材２４は、内枠３における下端角部に固着されるように断面Ｌ型に形成され、水平板部２４ａであって内枠３の前面から前方へ突出する部位２４ｂに軸孔２８が開設されている。そして、前記内枠側の下可動ヒンジ部材２４の軸孔２８に、外枠側の下固定ヒンジ部材２２の軸ピン２７がその下側から挿通される。この際、外枠側の上・下固定ヒンジ部材２１，２２の軸孔２５と軸ピン２７、及び内枠側の上・下可動ヒンジ部材２３，２４の軸ピン２６と軸孔２８はすべて同一鉛直軸線上に位置し、これにより内枠３の開閉動作がスムーズに行なえるようになっている。
【００２１】
本発明にあっては、図３、図４に示すように外枠側の下固定ヒンジ部材２２における水平板部２２ａの所定位置に円孔２９が開設され、また、該水平板部２２ａの下面に、該円孔２９を囲うようにして上面が開放する平面正方形状の箱枠３０がビス３１止めにより固着されている。すなわち、箱枠３０は金属製であって、所定の深さを有すると共に対向する側壁の上端に外側へ水平に屈曲する取付片３０ａ，３０ａが設けられ、各取付片３０ａ，３０ａに前記ビス３１が螺入する螺子孔３３，３３が開設される。該箱枠３０には、前記円孔２９の内径よりも大きい直径を有する鋼製の支持球３２が内装されている。内装された状態では該支持球３２は自在に回転し、しかも、その上端が水平板部２２ａの上面よりも上方へ所定の寸法（例えば、１〜３ｍｍの間で設定される。）突出している。そこで、内枠３を閉塞する際、その下面すなわち下可動ヒンジ部材２４における水平板部２４ａがこの支持球３２に乗って、上方へ押し上げられるようにして支持されることになる。
【００２２】
内枠３は、支持球３２に乗ることにより、その下面から押し上げられるようにして化粧板２の上面から浮き上がる。これにより、内枠３の軸支部側の下縁と同側の化粧板２の上縁との間に隙間ができ、しかも支持球３２が回転しつつ内枠３が回動する。よって、回動する内枠３、特に軸支部側における外枠１との摩擦や擦れ合いが軽減し、内枠３の閉塞動作がし易くなる。前記支持球３２の配置位置及びその上端が水平板部２２ａの上面から突出する寸法は、内枠３の開閉、特に閉塞動作が容易に行なえる範囲で適宜設定される。
【００２３】
本発明に係るパチンコ遊技機Ｐは上記構成からなり、次に図５（イ）（ロ）に基づき作用を説明する。図５（イ）実線に示すように内枠３が閉塞されている状態では、内枠３側の下可動ヒンジ部材２４における水平板部２４ａの下面に支持球３２が当接し、内枠３を押し上げるようにして支持している。よって、内枠３が支持球３２に乗った形となり、この状態で内枠３を開放すると、支持球３２が下可動ヒンジ部材２４における水平板部２４ａの下面で回転するので、内枠３の下面と外枠１における化粧板２の上面との摩擦や擦れ合いが軽減される。よって、内枠３の荷重が大きいとしても、その開放動作が容易に行なえることになる。
【００２４】
一方、図５（イ）鎖線に示すように開放された内枠３を外枠１の前面に閉塞する際には、前記下可動ヒンジ部材２４における水平板部２４ａの下面に支持球３２が当接し、内枠３を押し上げるようにして支持するので内枠３が少し上方へ浮き上がり、特に軸支部側での内枠３の下面と外枠１における化粧板２の上面との摩擦や擦れ合いが軽減される。よって、内枠３の閉塞動作も容易に行なえることになる。
【００２５】
図６、図７は、他の構成に係る下部のヒンジ機構を示すものである。この下部のヒンジ機構４１ｂは前記説明した下部のヒンジ機構４ｂと構成がほとんど同じなので、同一部位は同一番号を付して詳しい説明は省略する。すなわち、外枠側の下固定ヒンジ部材２２１は、外枠１における化粧板２の一端に固着されるように断面略Ｌ型に形成される。そして、水平板部２２１ａが平面略方形状に形成されると共にその水平板部２２１ａの外側角部に上方へ突出する軸ピン２７が設けられ、その前端縁に沿ったほぼ中間位置に下部が箱枠３０により囲われるようにして支持球３２が配置される。この支持球３２も、上端が水平板部２２１ａの上面より上方へ所定の寸法（例えば、１〜３ｍｍの間で設定される。）突出している。
【００２６】
下可動ヒンジ部材２４１は、内枠３における下端角部に固着されるように断面Ｌ型に形成される。下可動ヒンジ部材２４１における水平板部２４１ａの前端部は、内枠３の前面より前方へ延設され、その外側角部に軸孔２８が開設されている。このヒンジ機構４１ｂでは、内枠３の開閉動作位置に拘りなく常に支持球３２が下可動ヒンジ部材２４１の水平板部２４１ａの下面に当接し、閉塞した状態でも開放した状態でも支持球３２により内枠３を浮き上がらせている。
【００２７】
図７（イ）鎖線に示すように内枠３が閉塞されている状態では、内枠３側の下可動ヒンジ部材２４１における水平板部２４１ａの下面に支持球３２が当接し、内枠３を押し上げるようにして支持している。よって、内枠３が支持球３２に乗った形となり、この状態で図７実線に示すように内枠３を開放すると、支持球３２が水平板部２４１ａの下面で回転するので内枠３の下面と外枠１における化粧板２の上面との摩擦や擦れ合いが軽減され、内枠３の荷重が大きいとしても、その開放動作が容易に行なえる。また、開放された内枠３を外枠１の前面に閉塞する際には、前記下可動ヒンジ部材２４１の水平板部２４１ａの下面に支持球３２が当接し、内枠３を押し上げているので内枠３が少し上方へ浮き上がっており、軸支部側で内枠３の下面と外枠１における化粧板２の上面との摩擦や擦れ合いが軽減される。よって、内枠３の閉塞動作も容易に行なえることになる。
【００２８】
図８、図９も、他の構成に係る下部のヒンジ機構を示すものである。図８に示される下部のヒンジ機構４２ｂは、図３で示した下部のヒンジ機構４ｂにおける支持球３２の位置を下固定ヒンジ部材２２２側から下可動ヒンジ部材２４２側へ替えたものである。なお、これらは図３で示した前記下部のヒンジ機構４ｂと構成がほとんど同じなので、同一部位は同一番号を付して詳しい説明は省略する。すなわち、下固定ヒンジ部材２２２は、外枠１における化粧板２の一端に固着されるように断面略Ｌ型に形成され、水平板部２２２ａであって外枠１の前面から前方へ突出する部位２２２ｂの上面に、上方へ突出する軸ピン２７が設けられている。また、その角部にはその側縁に沿って所定長さに亘り上向きの規制片２２ｃが設けられる。
【００２９】
内枠側の下可動ヒンジ部材２４２は、内枠３における下端角部に固着されるように断面Ｌ型に形成され、水平板部２４２ａであって内枠３の前面から前方へ突出する部位２４２ｂに軸孔２８が開設される。また、水平板部２４２ａの所定位置に円孔２９が開設され、該水平板部２４２ａの上面に該円孔２９を囲うようにして下面が開放する箱枠３０がビス３１止めにより固着される。該箱枠３０には、前記円孔２９の内径よりも大きい直径を有する鋼製の支持球３２が内装される。内装された状態では該支持球３２は自在に回転し、しかも、その下端が水平板部２４２ａの下面よりも下方へ所定の寸法（例えば、１〜３ｍｍの間で設定される。）突出している。そして、内枠３は閉塞する際、支持球３２が下固定ヒンジ部材２２２の水平板部２２２ａの上面に当接し、上方へ押し上げられるようにして支持されることになる。
【００３０】
図９に示される下部のヒンジ機構４３ｂは、図６、図７で示した下部のヒンジ機構４１ｂにおける支持球３２の位置を下固定ヒンジ部材２２３側から下可動ヒンジ部材２４３側へ替えたものである。なお、これらは図６で示した前記下部のヒンジ機構４１ｂと構成がほとんど同じなので、同一部位は同一番号を付して詳しい説明は省略する。すなわち、下固定ヒンジ部材２２３は、外枠１における化粧板２の一端に固着されるように断面略Ｌ型に形成される。そして、水平板部２２３ａが平面方形状に形成されると共にその水平板部２２３ａの外側角部に上方へ突出する軸ピン２７が設けられる。また、その角部には、その側縁に沿って所定長さに亘り上向きの規制片２２ｃが設けられる。
【００３１】
下可動ヒンジ部材２４３は、内枠３における下端角部に固着されるように断面Ｌ型に形成される。下可動ヒンジ部材２４３における水平板部２４３ａの前端部は内枠３の前面より前方へ延設され、その外側角部に軸孔２８が開設されている。また、水平板部２４３ａの所定位置に円孔２９が開設され、該水平板部２４３ａの上面に該円孔２９を囲うようにして下面が開放する箱枠３０がビス３１止めにより固着される。該箱枠３０には、前記円孔２９の内径よりも大きい直径を有する鋼製の支持球３２が内装される。内装された状態では該支持球３２は自在に回転し、しかも、その下端が水平板部２４３ａの下面よりも下方へ所定の寸法（例えば、１〜３ｍｍの間で設定される。）突出している。そして、内枠３は閉塞する際、支持球３２が下固定ヒンジ部材２２３の水平板部２２３ａの上面に当接し、上方へ押し上げられるようにして支持される。
【００３２】
前記図８、図９に示した構成の下部のヒンジ機構４２ｂ，４３ｂであっても、内枠３が閉塞されている状態では、外枠側の下固定ヒンジ部材２２２，２２３の水平板部２２２ａ，２２３ａの上面に支持球３２が当接し、内枠３を押し上げるようにして支持する。よって、支持球３２が内枠３を押し上げた形となり、この状態で内枠３を開放すると、支持球３２が下固定ヒンジ部材２２２，２２３における水平板部２２２ａ，２２３ａの上面で回転する。よって、内枠３の下面と外枠１における化粧板２の上面との摩擦や擦れ合いが軽減され、内枠３の荷重が大きいとしても、その開放動作が容易に行なえる。また、開放された内枠３を外枠１の前面に閉塞する際には、前記下固定ヒンジ部材２２２，２２３の水平板部２２２ａ，２２３ａの上面に支持球３２が当接し、内枠３を押し上げるようにして支持しているので内枠３が少し上方へ浮き上がり、軸支部側で内枠３の下面と外枠１における化粧板２の上面との摩擦や擦れ合いが軽減される。よって、内枠３の閉塞動作も容易に行なえることになる。
【図面の簡単な説明】
【００３３】
【図１】本発明に係るパチンコ遊技機の正面図。
【図２】同内枠を開いた状態の斜視図。
【図３】上下部のヒンジ機構部位の拡大斜視図。
【図４】箱枠部位の拡大縦断面図。
【図５】（イ）は要部の平面図、（ロ）は要部の一部断面正面図。
【図６】他の構成に係る下部のヒンジ機構部位の斜視図。
【図７】同要部の平面図、（ロ）同要部の一部断面正面図。
【図８】他の構成に係る下部のヒンジ機構の斜視図。
【図９】他の構成に係る下部のヒンジ機構の斜視図。
【符号の説明】
【００３４】
１            外枠
３            内枠
４ａ          上部のヒンジ機構
４ｂ          下部のヒンジ機構
２２          下固定ヒンジ部材
２４          下可動ヒンジ部材
３２          支持球
Ｐ            パチンコ遊技機
【図１】
2010099189.tif 000003
【図２】
2010099189.tif 000004
【図３】
2010099189.tif 000005
【図４】
2010099189.tif 000006
【図５】
2010099189.tif 000007
【図６】
2010099189.tif 000008
【図７】
2010099189.tif 000009
【図８】
2010099189.tif 000010
【図９】
2010099189.tif 000011